(57)【要約】  空気調和機は、室内機（１）に設けられた吹き出し口（１６）と、吹き出し口（１６）から吹き出す風の向きを上下方向に変化させる上下風向板（２１）と、上下風向板（２１）を動作させる駆動部（２５）とを備えている。駆動部（２５）は、上下風向板（２１）の左右方向の一端部側に配置されている。上下風向板（２１）には、駆動部（２５）が配置されている側とは反対側の端部に、回転軸（２６）とは異なる位置から左右方向の外側へ突出した突起（２７）が設けられている。また、室内機（１）には、突起（２７）に対して付勢力を与える付勢力付与部（３０）が備えられている。付勢力付与部（３０）は、上下風向板（２１）を、その停止状態の位置から動作方向へ所定の角度まで動作した状態の位置までの範囲の間で、上下風向板（２１）を停止状態の位置の方向へ付勢する。
2018154804.tif 000002
【特許請求の範囲】
【請求項１】
室内機に設けられた吹き出し口と、
回転軸を基準に回転可能であり、前記吹き出し口から吹き出す風の向きを上下方向に変化させる上下風向板と、
前記上下風向板を動作させる駆動部と
を備えた空気調和機であって、
前記駆動部は、前記上下風向板の左右方向の一端部側に配置され、
前記上下風向板には、前記駆動部が配置されている側の端部とは反対側の端部に、前記回転軸とは異なる位置から前記左右方向の外側へ突出した突起が設けられているとともに、
前記突起に対して付勢力を与える付勢力付与部が備えられており、
前記付勢力付与部は、前記上下風向板を、その停止状態の位置から動作方向へ所定の角度まで動作した状態の位置までの範囲の間で、前記上下風向板を前記停止状態の位置の方向へ付勢する、空気調和機。
【請求項２】
前記付勢力付与部は、バネと、前記突起が当接する当接部材とを有している、請求項１に記載の空気調和機。
【請求項３】
前記当接部材は、前記突起と接触する接触部を有し、
前記接触部は、前記上下風向板が動作するときの前記突起の軌跡に対して傾斜した２つの傾斜部を有し、
前記２つの傾斜部の前記突起の軌跡に対する傾斜角度は、前記上下風向板が下方へ移動するときに前記突起と接触する第１の傾斜部の傾斜角度が、前記上下風向板が上方へ移動するときに前記突起と接触する第２の傾斜部の傾斜角度よりも大きくなっている、
請求項２に記載の空気調和機。
【請求項４】
前記当接部材は、回転可能であり、
前記当接部材の回転範囲を規制する規制部材をさらに備えている、
請求項２または３に記載の空気調和機。
【請求項５】
前記上下風向板を前記左右方向の側方で支持する側壁をさらに備え、
前記側壁には、前記突起が通る開口部が形成されている、
請求項１から４の何れか１項に記載の空気調和機。
【請求項６】
前記突起および前記側壁は、送出される風が通過する経路の外側に配置されている、請求項５に記載の空気調和機。
【請求項７】
前記突起の形状は、前記上下風向板の動作の軌跡に沿った形状となっている、請求項１から６の何れか１項に記載の空気調和機。
【発明の詳細な説明】
【技術分野】
【０００１】
本発明の一局面は、空気調和機に関し、より具体的には空気調和機に備えられている風向板の周辺構造に関する。
【背景技術】
【０００２】
空気調和機には、吹き出し口から吹き出す風の向きを上下に偏向する上下風向板（上下風向ルーバとも呼ぶ）が備えられている。上下風向板は支持軸を有し、支持軸の一端にはモータが接続され、もう一端は上下風向板が自由に回転可能なように軸受支持されている。【０００３】
近年、上下風向板の大型化に伴い重量が増加することで、自重によるトルクで上下風向板がねじれてしまうという問題が発生している。そこで、例えば、特許文献１には、上下風向板（上下風向偏向羽根）の支持軸に、上下風向板の自重によるねじれを抑制するためのねじれ抑制機構を備えている空気調和機が提案されている。【０００４】
このねじれ抑制機構は、回転部材と付勢部材とを備えている。回転部材は、支持軸の他端（モータが配置されている端部とは反対側の端部）に接続され、支持軸の回転に伴って回転する。付勢部材は、回転部材の回転中心から偏心した位置にて回転部材に接触して、回転部材を上下風向板の自重によって支持軸にかかるトルクを減少させる方向に付勢する。
【先行技術文献】
【特許文献】
【０００５】
【特許文献１】特開２０１６−９９０８１号公報
【発明の概要】
【発明が解決しようとする課題】
【０００６】
しかしながら、引用文献１に開示されているねじれ抑制機構は、常に（すなわち、吹き出し口を閉じるとき、および、開くときの両方で、上下風向板の全可動領域において）上下風向板を閉じる方向に付勢している。そのため、付勢部材にかかる負荷が大きくなっている。【０００７】
そこで、本発明の一局面では、上下風向板のねじれを抑制するための機構において、付勢部材にかかる負荷を小さくすることのできる空気調和機を提供することを目的とする。
【課題を解決するための手段】
【０００８】
本発明の一局面にかかる空気調和機は、室内機に設けられた吹き出し口と、回転軸を基準に回転可能であり、前記吹き出し口から吹き出す風の向きを上下方向に変化させる上下風向板と、前記上下風向板を動作させる駆動部とを備えている。前記駆動部は、前記上下風向板の左右方向の一端部側に配置されている。前記上下風向板には、前記駆動部が配置されている側の端部とは反対側の端部に、前記回転軸とは異なる位置から前記左右方向の外側へ突出した突起が設けられている。また、空気調和機は、前記突起に対して付勢力を与える付勢力付与部を備えている。そして、前記付勢力付与部は、前記上下風向板を、その停止状態の位置から動作方向へ所定の角度まで動作した状態の位置までの範囲の間で、前記上下風向板を前記停止状態の位置の方向へ付勢する。
【発明の効果】
【０００９】
本発明の一局面にかかる空気調和機は、付勢力付与部が備えられていることで、上下風向板のねじれを抑制することができる。また、付勢力付与部は、上下風向板が停止状態のときの位置から動作方向へ所定の角度まで動作した状態の位置までの範囲の間で、上下風向板に対して付勢力を与える。したがって、付勢力付与部にかかる負荷を小さくすることができる。
【図面の簡単な説明】
【００１０】
【図１】本発明の一実施形態にかかる空気調和機の室内機の外観を示す斜視図である。
【図２】図１に示す室内機のフラップを開けた状態を示す斜視図である。
【図３】図１に示す室内機に備えられた上下風向板および風向板取付機構の構成を示す斜視図である。この図では、上下風向板が上方に位置する状態を示す。
【図４】図１に示す室内機に備えられた上下風向板および風向板取付機構の構成を示す斜視図である。この図では、上下風向板が下方に位置する状態を示す。
【図５】図３に示す上下風向板および風向板取付機構の端部（付勢力付与部が配置されている側の端部）の構造を示す側面図である。
【図６】図３に示す上下風向板および風向板取付機構の端部（付勢力付与部が配置されている側の端部）の構造を示す斜視図である。この図では、上下風向板が上方に位置する状態を示す。
【図７】図３に示す上下風向板および風向板取付機構の端部（付勢力付与部が配置されている側の端部）の構造を示す斜視図である。この図では、上下風向板が下方に位置する状態を示す。
【図８】上下風向板および付勢力付与部の動作を説明するための側面図である。
【図９】上下風向板および付勢力付与部の動作を説明するための側面図である。
【図１０】上下風向板および付勢力付与部の動作を説明するための側面図である。
【図１１】風向板取付機構の右側壁部の構成を示す側面図である。
【図１２】本発明の第２の実施形態にかかる室内機に備えられた上下風向板および風向板取付機構の構成を示す側面図である。
【図１３】本発明の第３の実施形態にかかる室内機に備えられた上下風向板、左右風向板、および風向板取付機構の一部分の構成を示す上面図である。
【図１４】本発明の第４の実施形態にかかる室内機に備えられた上下風向板の一部および風向板取付機構の構成を示す側面図である。
【図１５】本発明の第５の実施形態にかかる室内機に備えられた上下風向板の一部および風向板取付機構の構成を示す側面図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
〔第１の実施形態〕
＜空気調和機の全体構成＞
先ず、本実施の形態にかかる空気調和機の全体構成について説明する。本実施の形態にかかる空気調和機は、セパレート式の空気調和機であって、主として、室内機１と室外機（図示せず）とから構成されている。図１は、本実施の形態に係る空気調和機の室内機１の外観構成を示す。図２には、室内機１のフラップ１５を開けた状態を示す。
【００１３】
室外機には、圧縮機、室外側熱交換器、四方弁、膨張弁などが備えられている。これらと室内機１側に備えられた室内側熱交換器（図示せず）とによって冷凍サイクルが構成される。また、室外機には室外ファンが備えられている。
【００１４】
次に、室内機１の外観の構成について、図１および図２を用いて説明する。図１に示すように、室内機１は、略直方体状の形状を有しており、通常、部屋の壁の上部に掛けられて使用される。上述したように、室内機１内には室内側熱交換器が備えられている。この室内側熱交換器は、冷媒配管（図示せず）を介して室外機側の圧縮機などと接続されている。これにより、この室内機１と室外機とは、冷凍サイクルを構成し、その結果、空気調和機として機能する。
【００１５】
図１に示すように、室内機１は、筐体１０で外形が形成される。筐体１０は、略直方体状の樹脂成形品である。図１に示すように、筐体１０は、主として、前面パネル１１、本体パネル１２、背面パネル１３、およびフラップ１５で構成されている。
【００１６】
なお、説明の便宜上、前面パネル１１が配置されている側を室内機１の前面側とし、背面パネル１３が配置されている側を室内機１の背面側とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。また、この上下方向と交差または直交する方向のことを、水平方向または左右方向という。また、前面パネル１１を正面から見た状態で、右側に位置する室内機１の側面を右側面とし、左側に位置する室内機１の側面を左側面とする。なお、本実施形態では、上下風向板２１を室内機１に取り付けたときに、左右方向の左端部（一端部）側に駆動モータ（駆動部）２５が配置される。そして、上下風向板２１の右端部（駆動部が配置されている側の端部とは反対側の端部）に、突起２７が設けられている。
【００１７】
前面パネル１１は、筐体１０の前面（正面）に位置する。前面パネル１１は、本体パネル１２に対して開閉可能に取り付けられている。通常、前面パネル１１を開けると、フィルタ（図示せず）が前面部に現れる。フィルタ（図示せず）は、本体パネルの上面に設けられた吸込み口の下方に設けられている。フィルタは、吸込み口から室内機１の内部に取り込まれる空気に含まれる埃や塵を捕捉する。フィルタの背面側には、室内側熱交換器およびクロスフローファンなどが配置されている。
【００１８】
図２には、主に運転状態の室内機１を示す。図２に示すように、本体パネル１２の下部には、吸込み口から吸い込んだ空気を送出する吹き出し口１６が設けられている。そして、吹き出し口１６にフラップ１５が開閉可能に設けられている。フラップ１５には、駆動モータ（図示せず）が連結されている。駆動モータは、電気配線を介しての電装基板（図示せず）に通信接続されており、空気調和機の運転中、電装基板に設けられた制御部からの制御信号に従ってフラップ１５の回転角度を調節する。電装基板は、例えば、室内機１の右側面に配置された電装ボックス内に配置される。駆動モータは、例えばステッピングモータである。
【００１９】
また、図２に示すように、吹き出し口１６には、上下風向板２１および左右風向板４１が備えられている。上下風向板２１は、吹き出し口１６から吹き出す風の向きを上下に偏向する。上下風向板２１は、上下風向ルーバとも呼ばれる。左右風向板４１は、吹き出し口１６から吹き出す風の向きを左右に偏向する。左右風向板４１は、左右風向ルーバとも呼ばれる。本実施形態では、上下風向板２１が上方に位置している状態において、上下風向板２１よりも下方で背面側に左右風向板４１が配置されている。しかし、上下風向板２１および左右風向板４１の配置位置は、これに限定はされない。
【００２０】
上下風向板２１は、後述するように、風向板取付機構２３（図３参照）に対して、動作可能に取り付けられている。上下風向板２１は、駆動モータ（駆動部）２５（図３参照）と接続されている。駆動モータ２５は、電気配線を介しての電装基板（図示せず）に通信接続されており、空気調和機の運転中、電装基板に設けられた制御部からの制御信号に従って上下風向板２１の上下方向の角度を調節する。駆動モータ２５は、例えばステッピングモータである。
【００２１】
左右風向板４１も、駆動モータ（図示せず）と接続されている。駆動モータは、電気配線を介しての電装基板（図示せず）に通信接続されており、空気調和機の運転中、電装基板に設けられた制御部からの制御信号に従って左右風向板４１の左右方向の角度を調節する。駆動モータは、例えばステッピングモータである。
【００２２】
＜風向板取り付け機構の構成＞
続いて、上下風向板２１が取り付けられている風向板取付機構２３のより具体的な構成について、図３から図５を参照しながら説明する。
【００２３】
図３および図４は、上下風向板２１および風向板取付機構２３の構成を示す。図３は、上下風向板２１が最も上方に位置した状態を示している。図４は、上下風向板２１が下方に位置した状態を示している。図５は、風向板取付機構２３の側面部分の構成を示す図である。図５では、上下風向板２１に対して付勢力を与える付勢力付与部３０が設けられている側（本実施形態では、右側面）を示す。
【００２４】
図２に示すように、上下風向板２１は、吹き出し口１６に沿って左右方向に延びている。図４などに示すように、上下風向板２１は、略長方形の形状を有する略板状の部材である。上下風向板２１は、風向板取付機構２３に対して動作可能に取り付けられている。
【００２５】
具体的には、上下風向板２１の左右両側の端部に位置する回転軸２６（右側の回転軸２６Ｒおよび左側の回転軸２６Ｌ）が、風向板取付機構２３に軸支されている。右側の回転軸２６Ｒおよび左側の回転軸２６Ｌは、同軸上に位置するように形成されている。
【００２６】
また、上下風向板２１の右側の端部には、外側（右側）へ突出した突起２７が設けられている。突起２７は、回転軸２６Ｒとは異なる位置に設けられている。突起２７の配置位置は、上下風向板２１の右側の端部であれば特に限定はされないが、本実施形態では、上下風向板２１が停止状態の位置にあるときに、回転軸２６Ｒの後方側の斜め上方に位置するように配置されている。突起２７は、回転軸２６Ｒと略平行な方向に突出している。突起２７は、右側壁部２４Ｒに形成された開口部２８から外側(右側)へ突出するように配置されている。そして、突起２７は、上下風向板２１の動作に合わせて、開口部２８内を移動する（図８から図１０参照）。
【００２７】
図５に示すように、風向板取付機構２３は、上下風向板２１が停止状態の位置にあるときに、上下風向板２１の後方側かつ上方側に位置する。図３および図４に示すように、風向板取付機構２３は、主として、本体部２２、右側壁部（側壁）２４Ｒ、および左側壁部２４Ｌで構成されている。本体部２２は、上下風向板２１の配置方向に沿って、左右方向に延びている。なお、風向板取付機構２３は、室内熱交換器のドレン水を受けるドレンパンと一体であってもよい。
【００２８】
右側壁部２４Ｒは、本体部２２の右側の端部に位置する。また、右側壁部２４Ｒは、上下風向板２１の右側に位置する。つまり、上下風向板２１の右側端部のさらに右側（外側）に右側壁部２４Ｒが位置する。
【００２９】
左側壁部２４Ｌは、本体部２２の左側の端部に位置する。また、左側壁部２４Ｌは、上下風向板２１の左側に位置する。つまり、上下風向板２１の左側端部のさらに左側（外側）に左側壁部２４Ｌが位置する。
【００３０】
このように、右側壁部２４Ｒと左側壁部２４Ｌとの間に、上下風向板２１が挟み込まれた状態となっている。そして、上下風向板２１の右側の回転軸２６Ｒおよび左側の回転軸２６Ｌは、右側壁部２４Ｒおよび左側壁部２４Ｌに対してそれぞれ軸支されている。これにより、上下風向板２１は、回転軸２６を回転中心Ｐ１（図５参照）として、風向板取付機構２３に対して回転可能に支持される。なお、上下風向板２１は、正逆両方向に回転可能である。
【００３１】
風向板取付機構２３の左側には、上下風向板２１の動作を駆動する駆動モータ２５が配置されている。本実施形態では、駆動モータ２５は、左側壁部２４Ｌのさらに左側（外側）に、左側壁部２４Ｌに隣接するように配置されている。
【００３２】
また、風向板取付機構２３の右側端部（すなわち、右側壁部２４Ｒ）には、上下風向板２１に対して付勢力を与える付勢力付与部３０が設けられている。付勢力付与部３０は、駆動モータ２５が配置されている側とは反対側の端部に配置されている。
【００３３】
付勢力付与部３０は、上下風向板２１の突起２７に対して付勢力を与える。そして、付勢力付与部３０は、上下風向板２１を、その停止状態の位置（図５に示す位置）から動作方向へ所定の角度まで動作した状態の位置までの範囲（所定範囲）の間で、上下風向板２１を停止状態の位置の方向（すなわち、図５に示す矢印Ｆ２の方向）へ付勢する。
【００３４】
＜付勢力付与部３０の構成＞
続いて、付勢力付与部３０のより具体的な構成について図３から図７を参照しながら説明する。図６および図７は、風向板取付機構２３の付勢力付与部３０周辺をより拡大して示す斜視図である。図６は、上下風向板２１が、停止状態の位置にある場合を示す。図７は、上下風向板２１が所定範囲よりも下方に位置するときの状態を示す。
【００３５】
付勢力付与部３０は、上下風向板２１の突起２７に対して作用する。すなわち、付勢力付与部３０は、突起２７に対して付勢力を与える。
【００３６】
付勢力付与部３０は、コイルバネ３１と、当接部材３２とを有する。コイルバネ３１は、前方側の端部３１ａ（図６参照）が風向板取付機構２３の右側壁部２４Ｒ（具体的には、上方突起２９）と連結され、後方側の端部３１ｂ（図６参照）が当接部材３２（具体的には、孔３７）と連結されている。このように、本実施形態では、コイルバネ３１は、室内機１の前後方向に沿って配置されている。
【００３７】
当接部材３２は、ネジなどの連結部材３３によって、右側壁部２４Ｒに対して回転可能に取り付けられている。すなわち、当接部材３２は、回転中心Ｐ２（図５参照）で回転可能となっている。そして、当接部材３２には、当接部材３２の回転範囲を規制する規制部材３４（開口部３４ａ）が設けられている。また、当接部材３２は、突起２７に接触して、突起２７に対して付勢力を与える接触部３５（図５参照）を有している。
【００３８】
より具体的には、図６および図７に示すように、接触部３５は、後方側の傾斜面（第１の傾斜部）Ｓ１と前方側の傾斜面（第２の傾斜部）Ｓ２とを有している。そして、上下風向板２１が仮想平面Ｈ１（図５参照）よりも上方に位置するときには、傾斜面Ｓ１が突起２７に当接し、突起２７に対して付勢力Ｆ１を与える（図５および図６参照）。一方、上下風向板２１が仮想平面Ｈ１（図５参照）よりも下方に位置するときには、図７に示すように、突起２７は、傾斜面Ｓ２よりも前方に位置し、傾斜面Ｓ１との当接状態が解除される。
【００３９】
また、規制部材３４は、当接部材３２に形成された開口部３４ａと、右側壁部２４Ｒの当接部材３２側の側面（右側面）に設けられた突起部３４ｂとで構成される。突起部３４ｂは、開口部３４ａから突出している。そして、当接部材３２が右側壁部２４Ｒに対して回転すると、開口部３４ａ内における突起部３４ｂの相対位置が変更される。そのため、開口部３４ａの形状によって、当接部材３２の回転範囲を、所定の範囲内に規制することができる。また、このような構成の規制部材３４が設けられていることで、当接部材３２の位置ずれを抑えることができる。また、当接部材が回転動作するときの、当接部材３２の軌道のずれを抑えることができる。
【００４０】
また、当接部材３２には、その頂端部３２ａに孔３７が形成されている。孔３７には、コイルバネ３１の端部３１ｂが取り付けられる。
【００４１】
次に、コイルバネ３１および当接部材３２が取り付けられる右側壁部２４Ｒのより具体的な構成について、図１１を参照しながら説明する。図１１は、風向板取付機構２３を右側から見た場合の右側壁部２４Ｒを示す。
【００４２】
上述したように、右側壁部２４Ｒは、上下風向板２１の右側の回転軸２６Ｒを軸支している。これにより、上下風向板２１は、回転中心Ｐ１を基点として回転する。また、右側壁部２４Ｒには、開口部２８が形成されている。開口部２８は、上下風向板２１の突起２７の回転軌跡Ｒ１に沿って形成されている。
【００４３】
また、右側壁部２４Ｒには、当接部材３２が取り付けられる位置に、突起部３４ｂ、補助突起３８、および回転軸３９などが設けられている。突起部３４ｂは、当接部材３２の開口部３４ａに対応する位置に形成されている。そして、上述したように、突起部３４ｂは、当接部材３２の開口部３４ａとともに、当接部材３２の回転範囲を規制する規制部材３４としての役割を果たす。補助突起３８は、当接部材３２の回転軌跡に沿って、当接部材３２と接触するように形成されている。補助突起３８が設けられていることで、当接部材３２の回転動作がより円滑に行われる。回転軸３９には、連結部材３３を介して、当接部材３２が取り付けられる。
【００４４】
また、右側壁部２４Ｒには、その前方側の上方に上方突起２９が設けられている。上方突起２９には、コイルバネ３１の端部３１ａが取り付けられる。
【００４５】
＜上下風向板の動作について＞
続いて、上下風向板２１の動作について、図５から図１０を参照しながら説明する。図８から１０には、上下風向板２１が上方から下方へ移動（回転動作）する様子を順に示す。
【００４６】
空気調和機が運転を開始すると、上下風向板２１は、制御部（図示せず）からの指令にしたがって、上下方向に一定の範囲内で回転動作（回動）する。これにより、室内機１の吹き出し口１６から吹き出される風の向きを上下方向に変化させることができる。
【００４７】
より具体的には、空気調和機が運転を開始すると、フラップ１５が開状態となる（図２参照）。また、フラップ１５の開状態の位置は、吹出し方向によって、図２とは異なる位置にある場合もある。なお、空気調和機が運転を停止している状態では、図１に示すようにフラップ１５は閉状態となっている。このとき、吹き出し口１６の近傍に設置されている上下風向板２１は、フラップ１５に押し上げられて、上下風向板２１は、その回転範囲の最も上方に位置している。図５は、このときの状態を示す。この状態を、上下風向板２１の停止状態の位置とする。
【００４８】
空気調和機が運転を開始し、フラップ１５を開き始めた後に、制御部による上下風向板２１の動作の制御が開始される。制御部が上下風向板２１を下方へ動作させるように指示すると、駆動モータ２５が運転を開始する。そして、上下風向板２１が図５に示す矢印Ａ１方向へ動作する。
【００４９】
ここで、上下風向板２１の重心が、停止位置の状態から仮想平面Ｈ１の高さの位置に移動するまでの間、上下風向板２１の突起２７は、当接部材３２によって当接されている。ここで、仮想平面Ｈ１とは、回転中心Ｐ１の高さの水平面を意味する。図６および図８には、このときの状態を示す。このとき、突起２７は、当接部材３２の接触部３５と接触している。そのため、コイルバネ３１による弾性力によって、突起２７には付勢力Ｆ１が働いている。これにより、上下風向板２１には、上方（すなわち、停止状態の位置の方向）への力Ｆ２が働く。
【００５０】
そのため、上下風向板２１が下方（矢印Ａ１方向）へ移動するときに、その右側（駆動モータ２５と反対側）の部分を上方へ押し上げるように作用することができる。これにより、上下風向板２１が下方へ動作する際に、その自重によって、上下風向板２１がねじれることを抑えることができる。
【００５１】
そして、上下風向板２１がさらに下方へ移動し、その重心が、仮想平面Ｈ１の高さの位置よりも下になったときの状態を、図９に示す。上下風向板２１が所定位置よりも下方に位置すると、上下風向板２１の動作に合わせて突起２７も前方へ移動する。すると、当接部材３２は、突起２７に押されて回転し、図９に示すように、当接部材３２の接触部３５が突起２７に乗り上がった状態となる。
【００５２】
これにより、当接部材３２による突起２７への付勢力Ｆ１の付与が解除される。突起２７への付勢力Ｆ１の付与が解除されると、上下風向板２１は、その自重で下方向への力が働く。そのため、駆動モータ２５による駆動力と自重との両方の作用で、上下風向板２１はさらに下方へと移動する。
【００５３】
図１０には、上下風向板２１が動作範囲の最も下方に位置した状態を示す。図１０に示す状態では、突起２７は、開口部２８の最も前方側に位置する。
【００５４】
なお、制御部が上下風向板２１を上方へ動作させるように指示した場合には、駆動モータ２５は、逆方向に回転する。そして、上下風向板２１が図１０に示す矢印Ａ３方向へ動作する。
【００５５】
上下風向板２１が上方へ移動するときも、下方へ移動するときと同様に、上下風向板２１の重心が、仮想平面Ｈ１の高さの位置に達するまでは、突起２７に対して付勢力は付与されない。そして、上下風向板２１の重心が、仮想平面Ｈ１の高さの位置よりも上方へ移動するときには、突起２７に対して付勢力が付与される。
【００５６】
以上の構成により、付勢力付与部３０は、上下風向板２１が所定範囲に位置する間（すなわち、上下風向板２１の重心が仮想平面Ｈ１よりも上方にある間）のみ、上下風向板２１の突起２７に対して付勢力を与える。これにより、上下風向板２１の自重によるトルクによって、上下風向板２１がねじれることを抑えることができる。すなわち、上下風向板２１のねじれがより起こりやすい位置において、上下風向板２１のねじれを抑制するための付勢力付与部３０を適切に作用させることができる。そして、付勢力付与部３０にかかる負荷を小さくすることができる。
【００５７】
また、上下風向板２１が所定範囲に位置する間（すなわち、上下風向板２１の重心が仮想平面Ｈ１よりも上方にある間）のみ、上下風向板２１の突起２７に対して付勢力を与えるので、所定範囲に上下風向板２１が位置する間は、駆動モータ２５の負荷も大きいが、所定範囲に上下風向板２１が位置しない場合は、駆動モータ２５の負荷も小さくなる。よって、駆動モータ２５の負荷も小さくすることができる。
【００５８】
＜当接部材３２の形状について＞
ここで、当接部材３２の接触部３５の好ましい形状について、図１０を参照しながら説明する。
【００５９】
上述したように、接触部３５は、上下風向板２１が動作するときの突起２７の軌跡Ｒ１に対して傾斜した２つの傾斜面（すなわち、傾斜面Ｓ１およびＳ２）を有している。傾斜面Ｓ１は、仮想線Ｌ１に沿っている。また、傾斜面Ｓ２は、仮想線Ｌ２に沿っている。
【００６０】
そして、軌跡Ｒ１に対する傾斜面Ｓ１および傾斜面Ｓ２の角度を、それぞれθ１およびθ２とすると、θ１＞θ２となっている。すなわち、上下風向板２１が下方へ移動するときに突起２７と接触する傾斜面Ｓ１の傾斜角度θ１が、上下風向板２１が上方へ移動するときに突起２７と接触する傾斜面Ｓ２の傾斜角度θ２よりも大きくなっている。
【００６１】
接触部３５が上記のような形状を有することで、上下風向板２１が停止状態の位置にあるとき（すなわち、上下風向板２１が最も上方に位置するとき）に、傾斜面Ｓ１が突起２７の軌跡Ｒ１に対してより大きな角度（例えば直角に近い角度）で当接する。これにより、突起２７に対してより大きな付勢力を与えることができる。
【００６２】
なお、上下風向板２１が停止状態の位置から徐々に下方へ移動するときには、当接部材３２は回転するため、傾斜面Ｓ１に対する突起２７の軌跡Ｒ１の角度は、徐々に小さくなる。したがって、上下風向板２１が下方に動作するときには、付勢力付与部３０によって付与される付勢力を徐々に小さくすることができる。
【００６３】
また、上下風向板２１が下方から上方へ移動するときには、傾斜面Ｓ２に対する突起２７の軌跡Ｒ１の角度は、θ１より小さなθ２となる。そのため、上下風向板２１が下方から上方へ移動するときには、突起２７は当接部材３２に対してより緩やかに当たる。これにより、上下風向板２１の動作をより円滑に行うことができる。
【００６４】
（第１の実施形態のまとめ）
以上のように、本実施形態にかかる空気調和機には、上下風向板のねじれを抑制するための構成として、突起２７、および突起に対して付勢力を与える付勢力付与部３０が備えられている。そして、付勢力付与部３０は、上下風向板２１が所定範囲に位置する間のみ、上下風向板２１の突起２７に対して付勢力を与える。これにより、上下風向板２１の自重によるトルクによって、上下風向板２１がねじれることを抑えることができる。
【００６５】
なお、上記の所定範囲は、例えば、上下風向板２１の重心が仮想平面Ｈ１よりも上方にある間とすることができる。また、上記の所定範囲は、例えば、上下風向板２１が最も上方に位置する状態（停止状態）を０度とした場合に、その下方への回転角度が約２０度以下の範囲とすることもできる。
【００６６】
この構成によれば、上下風向板２１のねじれがより起こりやすい位置において、上下風向板２１のねじれを抑制するために機能する付勢力付与部３０を適切に作用させることができる。そして、付勢力付与部３０にかかる負荷を小さくすることができる。
【００６７】
なお、図１１に示すように、突起２７には、小突起２７ａが設けられていてもよい。小突起２７ａは、突起２７の回転軌跡Ｒ１に沿って、突起２７の本体部分から前方側および後方側にそれぞれ突出するように設けられている。このように、突起２７の回転軌跡に沿った形状を有する小突起２７ａが形成されていることで、突起２７の強度を向上させることができる。また、付勢力付与部３０から突起２７に対して負荷される付勢力を均等にすることができる。なお、小突起２７ａは、当接部材３２には接触しないよう、突起２７よりも高さが低くなっている。
【００６８】
また、本実施形態では、上下風向板２１の右側の端部にのみ、すなわち、駆動モータ２５が配置されている側とは反対側の端部にのみ、上下風向板２１のねじれを抑制するための付勢力付与部３０が設けられている構成について説明した。しかし、本発明の別の態様では、上下風向板２１の左右方向の両側の端部に、付勢力付与部３０が設けられていてもよい。
【００６９】
また、駆動モータ２５と付勢力付与部３０とは、左右逆の位置に配置されていてもよい。すなわち、上下風向板２１の右側に駆動モータ２５が配置され、上下風向板２１の左側に付勢力付与部３０が配置されていてもよい。この場合、上下風向板２１の左右方向の右端部側が一端部側に相当し、上下風向板２１の左右方向の左端部側が「駆動部が配置されている側の端部とは反対側の端部」となる。
【００７０】
〔第２の実施形態〕
本発明の第２の実施形態について、図１２を参照しながら説明する。図１２には、第２の実施形態にかかる室内機１に備えられた上下風向板１２１および風向板取付機構１２３の構成を示す。図１２は、上下風向板１２１に対して付勢力を与える付勢力付与部１３０が設けられている側（本実施形態では、右側面）を示す。なお、付勢力付与部１３０以外の構成については、第１の実施形態と同様の構成が適用できる。そこで、第１の実施形態と同じ構成が適用できる構成部材については、第１の実施形態と同じ符号を付し、その説明を省略する。
【００７１】
第１の実施形態と同様に、上下風向板１２１は、回転軸２６（右側の回転軸１２６Ｒおよび左側の回転軸２６Ｌ）を有する。そして、回転軸２６は、風向板取付機構１２３の右側壁部１２４Ｒおよび左側壁部２４Ｌに軸支されている。
【００７２】
また、上下風向板１２１の右側の端部には、外側（右側）へ突出した突起１２７が設けられている。突起１２７は、右側壁部１２４Ｒに形成された開口部１２８から外側（右側）へ突出するように配置されている。そして、突起１２７は、上下風向板１２１の動作に合わせて、開口部１２８内を移動する。
【００７３】
風向板取付機構１２３は、上下風向板１２１が停止状態の位置にあるときに、上下風向板１２１の後方側かつ上方側に位置する。風向板取付機構１２３は、主として、本体部２２、右側壁部（側壁）１２４Ｒ、および左側壁部２４Ｌで構成されている。なお、風向板取付機構１２３は、室内熱交換器のドレン水を受けるドレンパンと一体であってもよい。
【００７４】
右側壁部１２４Ｒは、本体部２２の右側の端部に位置する。また、風向板取付機構１２３の右側端部（すなわち、右側壁部１２４Ｒ）には、上下風向板１２１に対して付勢力を与える付勢力付与部１３０が設けられている。付勢力付与部１３０は、駆動モータ２５が配置されている側とは反対側の端部に配置されている。
【００７５】
付勢力付与部１３０は、上下風向板１２１の突起１２７に対して作用する。すなわち、付勢力付与部１３０は、突起１２７に対して付勢力を与える。
【００７６】
付勢力付与部１３０は、板バネ１３１と、当接部材１３２とを有する。板バネ１３１は、例えば、当接部材１３２の前方側に配置されている。
【００７７】
当接部材１３２は、ネジなどの連結部材１３３によって、右側壁部１２４Ｒに対して回転可能に取り付けられている。
【００７８】
第１の実施形態と同様に、付勢力付与部１３０は、上下風向板１２１が動作を開始すると、上下風向板１２１の突起１２７に対して付勢力を与える。そして、付勢力付与部１３０は、上下風向板１２１を、その停止状態の位置から動作方向へ所定の角度まで動作した状態の位置までの範囲（所定範囲）内の間で、上下風向板１２１を停止状態の位置の方向へ付勢する。
【００７９】
より具体的には、上下風向板１２１の重心が、停止位置の状態から所定の高さ（例えば、仮想平面Ｈ１の高さ）の位置に移動するまでの間、上下風向板１２１の突起１２７は、当接部材１３２によって当接されている。このとき、突起１２７は、当接部材１３２の接触部１３５と接触している。そのため、板バネ１３１による弾性力によって、突起１２７には付勢力Ｆ１が働いている。これにより、上下風向板１２１には、上方（すなわち、停止状態の位置の方向）への力が働く。
【００８０】
一方、上下風向板１２１が所定の高さよりも下方に移動すると、上下風向板１２１の動作に合わせて突起１２７も前方へ移動する。すると、当接部材１３２は、突起１２７に押されて回転する。その後、突起１２７は、開口部１２８に沿って、接触部１３５よりも前方へ移動する。
【００８１】
これにより、当接部材１３２による突起１２７への付勢力Ｆ１の付与が解除される。突起１２７への付勢力Ｆ１の付与が解除されると、上下風向板１２１は、その自重で下方向への力が働く。そのため、駆動モータ２５による駆動力と自重との両方の作用で、上下風向板１２１はさらに下方へと移動する。
【００８２】
以上のように、コイルバネ３１の代わりに板バネ１３１を用いても、第１の実施形態と同様の効果を得ることができる。なお、コイルバネ３１または板バネ１３１の代わりに、ねじりコイルバネを用いることもできる。ねじりコイルバネは、例えば、連結部材１３３の位置に取り付けることができる。
【００８３】
〔第３の実施形態〕
本発明の第３の実施形態について、図１３を参照しながら説明する。図１３には、第３の実施形態にかかる室内機１に備えられた上下風向板２２１、左右風向板２４１、および風向板取付機構２２３の右側部分の構成を示す。なお、図１３は、室内機１の下側から風向板取付機構２２３を見た場合の図である。
【００８４】
第１の実施形態と同様に、上下風向板２２１は、回転軸２６（右側の回転軸２６Ｒおよび左側の回転軸２６Ｌ）を有する。そして、回転軸２６は、風向板取付機構２２３の右側壁部２２４Ｒおよび左側壁部２４Ｌに軸支されている。
【００８５】
上下風向板２２１が停止状態の位置にあるときに、左右風向板２４１は、上下風向板２２１の下方かつ背面側に配置されている。すなわち、左右風向板２４１は、風向板取付機構２２３の本体部２２の下方に配置されている。
【００８６】
左右風向板２４１は、略等間隔に並んだ複数の板状部材で構成される。左右風向板２４１を構成する各板状部材は、上下風向板２２１に対して、略垂直な方向に配置されている。また、左右風向板２４１を構成する各板状部材は、互いに略平行な位置関係で配置されている。左右風向板２４１は、駆動モータ（図示せず）によって駆動され、左右方向に傾斜するように動作する。このように、左右風向板２４１の傾斜角度が変更されることで、吹き出し口１６から吹き出される風が左右方向に偏向される。
【００８７】
また、第１の実施形態と同様に、風向板取付機構２２３は、主として、本体部２２、右側壁部（側壁）２２４Ｒ、および左側壁部２４Ｌで構成されている。
【００８８】
右側壁部２２４Ｒは、本体部２２の右側の端部に位置する。また、風向板取付機構２２３の右側端部（すなわち、右側壁部２２４Ｒ）には、上下風向板２２１に対して付勢力を与える付勢力付与部２３０が設けられている。付勢力付与部２３０は、駆動モータ２５が配置されている側とは反対側の端部に配置されている。付勢力付与部２３０は、第１の実施形態で説明した付勢力付与部３０と同様の構成を適用できる。
【００８９】
図１３に示すように、第３実施形態にかかる本体部２２の右側端部と、右側壁部２２４Ｒとは、所定の距離Ｄだけ離間している。この距離Ｄの空間には、例えば、制御部などが搭載された電装ボックスが配置される。
【００９０】
なお、本実施形態では、本体部２２が設けられている領域が、室内機１から送出される風が通る経路（送風経路）にほぼ対応する。そして、付勢力付与部２３０は、右側壁部２２４Ｒに配置されている。このように、付勢力付与部２３０は、本体部２２（すなわち、送風経路）から距離Ｄだけ離間した位置に配置されることが好ましい。これにより、右側壁部２２４Ｒに突起２７を通す開口部２８を形成した場合にも、開口部２８から、空調された風が筐体内部に吹き込むことを抑えることができる。
【００９１】
なお、図１３には、左右風向板２４１が最も右側に傾斜した状態を示す。図１３では、このときに室内機１から送出される風の方向を矢印で示す。左右風向板２４１が最も右側に傾斜した状態では、室内機１の送風経路は、図１３に破線で示す領域Ａ１の範囲内となる。すなわち、送風経路の外側に位置する領域Ａ２は、風が通過しない。
【００９２】
本実施形態では、送風経路の外側の位置（すなわち、領域Ａ２）に、右側壁部２２４Ｒおよび突起２７が配置されていることがより好ましい。これにより、右側壁部２２４Ｒに形成された開口部２８から、空調された風が筐体内部に吹き込むことをより確実に抑えることができる。
【００９３】
なお、図１３に示すように、左右風向板２４１が右側へ傾斜すると、送風経路（領域Ａ１）は、室内機１の前方側ほど右方向（すなわち、室内機１の外側）へ拡がる。そのため、右側壁部２２４Ｒおよび突起２７がより背面側に配置される場合には、本体部２２の右側端部により近い位置に配置しても、開口部２８から、空調された風が筐体内部に吹き込むことを抑えることができる。すなわち、室内機１の背面側ほど、右側壁部２２４Ｒおよび突起２７の設置場所として好適な領域Ａ２の幅が広がる。
【００９４】
〔第４の実施形態〕
本発明の第４の実施形態について、図１４を参照しながら説明する。図１４には、第４の実施形態にかかる室内機１に備えられた上下風向板３２１および風向板取付機構３２３の構成を示す。図１４は、上下風向板３２１に対して付勢力を与える付勢力付与部３３０が設けられている側（本実施形態では、右側面）を示す。なお、付勢力付与部３３０は、第１の実施形態と同様の構成が適用できる。
【００９５】
風向板取付機構３２３は、上下風向板３２１が停止状態の位置にあるときに、上下風向板３２１の後方側かつ上方側に位置する。風向板取付機構３２３は、第１の実施形態と同様の構成が適用できる。
【００９６】
第１の実施形態と同様に、上下風向板３２１は、回転軸２６（右側の回転軸２６Ｒおよび左側の回転軸２６Ｌ）を有する。そして、回転軸２６は、風向板取付機構３２３の右側壁部２４Ｒおよび左側壁部２４Ｌに軸支されている。
【００９７】
また、上下風向板３２１の右側の端部には、外側へ突出した突起３２７が設けられている。突起３２７は、右側壁部２４Ｒに形成された開口部２８から外側へ突出するように配置されている。そして、上下風向板３２１の動作に合わせて、開口部２８内を移動する。
【００９８】
第４の実施形態では、突起３２７の形状が、第１の実施形態の突起２７とは異なっている。図１４に示すように、突起３２７は、上下風向板３２１の動作の軌跡Ｒ１に沿った形状を有している。すなわち、突起３２７は、軌跡Ｒ１に沿うように湾曲した形状を有している。この構成によれば、付勢力付与部３３０から突起３２７に対して負荷される付勢力を均等にすることができる。
【００９９】
〔第５の実施形態〕
続いて、本発明の第５の実施形態について説明する。ここでは、上下風向板に対して付勢力を与える付勢力付与部が、上下風向板を停止状態の位置に保持する保持部材のみで構成される例について説明する。
【０１００】
図１５には、第５の実施形態にかかる室内機１に備えられた上下風向板４２１および風向板取付機構４２３の構成を示す。図１５は、保持部材４３２が設けられている側（本実施形態では、右側面）を示す。
【０１０１】
風向板取付機構４２３は、上下風向板４２１が停止状態の位置にあるときに、上下風向板４２１の後方側かつ上方側に位置する。風向板取付機構４２３および上下風向板４２１は、第１の実施形態と同様の構成が適用できる。
【０１０２】
第１の実施形態と同様に、上下風向板４２１は、回転軸２６（右側の回転軸２６Ｒおよび左側の回転軸２６Ｌ）を有する。そして、回転軸２６は、風向板取付機構４２３の右側壁部２４Ｒおよび左側壁部２４Ｌに軸支されている。
【０１０３】
また、上下風向板４２１の右側の端部には、外側へ突出した突起２７が設けられている。突起２７は、右側壁部２４Ｒに形成された開口部２８から外側へ突出するように配置されている。そして、上下風向板４２１の動作に合わせて、開口部２８内を移動する。
【０１０４】
また、右側壁部２４Ｒには、保持部材４３２が取り付けられている。保持部材４３２は、上下風向板４２１を停止状態の位置に保持する。保持部材４３２は、ネジなどの連結部材４３３によって、右側壁部２４Ｒに対して回転可能に取り付けられている。そして、保持部材４３２には、保持部材４３２の回転範囲を規制する規制部材４３４（開口部４３４ａ）が設けられている。また、保持部材４３２は、突起２７に当接して、突起２７が前方側へ移動することを抑える接触部４３５を有している。
【０１０５】
なお、規制部材４３４は、第１の実施形態と同様に、保持部材４３２に形成された開口部４３４ａと、右側壁部２４Ｒの側面に設けられた突起部４３４ｂとで構成される。
【０１０６】
保持部材４３２は、例えば、接触部４３５に重りなどを設け、接触部４３５が自重で下に落ちるように設計されている。これにより、上下風向板４２１が停止状態の位置（最も上方の位置）となったときに、保持部材４３２の接触部４３５が突起２７を押圧し、上下風向板４２１を停止状態の位置で保持することができる。なお、錘としては金属などでもよいし、接触部の厚みを増すことで重りとしてもよい。
【０１０７】
上記の構成によれば、上下風向板４２１を停止状態の位置で保持するときに、駆動モータ２５にかかる負荷を低減させることができる。また、上下風向板４２１を停止状態の位置で保持するときに、上下風向板４２１にねじれが発生することを抑えることができる。
【０１０８】
また、上記の構成では、上下風向板４２１が停止状態の位置から下方に回転動作するときにも、保持部材４３２に設けられた重りによって、上下風向板４２１が停止状態の位置の方向へ付勢される。これにより、上下風向板４２１の動作時のねじれを抑えることができる。
【０１０９】
（まとめ）
本発明の一局面にかかる空気調和機は、室内機に設けられた吹き出し口と、回転軸を基準に回転可能であり、前記吹き出し口から吹き出す風の向きを上下方向に変化させる上下風向板と、前記上下風向板を動作させる駆動部とを備えている。前記駆動部は、前記上下風向板の左右方向の一端部側に配置されている。前記上下風向板には、前記駆動部が配置されている側の端部とは反対側の端部に、前記回転軸とは異なる位置から前記左右方向の外側へ突出した突起が設けられている。また、空気調和機は、前記突起に対して付勢力を与える付勢力付与部を備えている。そして、前記付勢力付与部は、前記上下風向板を、その停止状態の位置から動作方向へ所定の角度まで動作した状態の位置までの範囲の間で、前記上下風向板を前記停止状態の位置の方向へ付勢する。
【０１１０】
上述の本発明の一局面にかかる空気調和機において、前記付勢力付与部は、バネと、前記突起が当接する当接部材とを有していてもよい。
【０１１１】
上述の本発明の一局面にかかる空気調和機において、前記当接部材は、前記突起と接触する接触部を有していてもよい。そして、前記接触部は、前記上下風向板が動作するときの前記突起の軌跡に対して傾斜した２つの傾斜部を有し、前記２つの傾斜部（すなわち、第１の傾斜部および第２の傾斜部）の前記突起の軌跡に対する傾斜角度は、前記上下風向板が下方へ移動するときに前記突起と接触する第１の傾斜部の傾斜角度が、前記上下風向板が上方へ移動するときに前記突起と接触する第２の傾斜部の傾斜角度よりも大きくなっていてもよい。
【０１１２】
上述の本発明の一局面にかかる空気調和機において、前記当接部材は、回転可能であり、前記当接部材の回転範囲を規制する規制部材をさらに備えていてもよい。
【０１１３】
上述の本発明の一局面にかかる空気調和機は、前記上下風向板を前記左右方向の側方で支持する側壁をさらに備えていてもよい。そして、前記側壁には、前記突起が通る開口部が形成されていてもよい。
【０１１４】
上述の本発明の一局面にかかる空気調和機において、前記突起および前記側壁は、送出される風が通過する経路の外側に配置されていてもよい。
【０１１５】
上述の本発明の一局面にかかる空気調和機において、前記突起の形状は、前記上下風向板の動作の軌跡に沿った形状となっていてもよい。
【０１１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１７】
１        ：（空気調和機の）室内機
１５      ：フラップ
１６      ：吹き出し口
２１      ：上下風向板
２４Ｒ    ：右側壁部（壁部）
２５      ：駆動モータ（駆動部）
２７      ：突起
２８      ：開口部
３０      ：付勢力付与部
３１      ：コイルバネ（バネ）
３２      ：当接部材
３４      ：規制部材
３５      ：接触部
４１      ：左右風向板
１２１    ：上下風向板
１２７    ：突起
１３０    ：付勢力付与部
１３１    ：板バネ（バネ）
２２１    ：上下風向板
２３０    ：付勢力付与部
２４１    ：左右風向板
３２７    ：突起
３３０    ：付勢力付与部
Ｓ１      ：傾斜面（第１の傾斜部）
Ｓ２      ：傾斜面（第２の傾斜部）
【図１】
2018154804.tif 000003
【図２】
2018154804.tif 000004
【図３】
2018154804.tif 000005
【図４】
2018154804.tif 000006
【図５】
2018154804.tif 000007
【図６】
2018154804.tif 000008
【図７】
2018154804.tif 000009
【図８】
2018154804.tif 000010
【図９】
2018154804.tif 000011
【図１０】
2018154804.tif 000012
【図１１】
2018154804.tif 000013
【図１２】
2018154804.tif 000014
【図１３】
2018154804.tif 000015
【図１４】
2018154804.tif 000016
【図１５】
2018154804.tif 000017
【国際調査報告】
2018154804.tif 000018
2018154804.tif 000019